(57)【特許請求の範囲】
【請求項１】
下底面に下方突成された連結杆を、歩行路面に穿設した取付け孔に挿入して固定することにより、所定の配列状態で設置される視覚障害者誘導用マーカーの、その取付け孔の穿設位置をマーキングするための複数のマーキング用透孔を備えてなる視覚障害者誘導用マーカーの取付け孔マーキングプレートにおいて、
前記マーキング用透孔が、取付け孔の穿設位置で交差してその交点で穿設位置を示す二本以上の仮想線上に形成した長孔からなることを特徴とする視覚障害者誘導用マーカーの取付け孔マーキングプレート。
【請求項２】
プレート形状を矩形状とするとともに、矩形の各一辺の中点を示す位置決め用指標部を、各辺毎に夫々設けたことを特徴とする請求項１に記載した視覚障害者誘導用マーカーの取付け孔マーキングプレート。
【請求項３】
上面に移動調節用把手を突設したことを特徴とする請求項１又は請求項２に記載した視覚障害者誘導用マーカーの取付け孔マーキングプレート。
【発明の詳細な説明】
【０００１】
【発明の属する技術分野】
本発明は、視覚障害者誘導用マーカーの取付け孔の穿設位置を、歩行路面にマーキングするために用いる取付け孔マーキングプレートに関する。
【０００２】
【従来の技術】
視覚障害者誘導用マーカーＭは、図７に示すように、円形，長円形等の所定形状に形成された複数のマーカー本体ａを、屋外の歩道や屋内の通路等の歩行路面ｂに所定の配列状態で設置することにより、視覚障害者の誘導に使用されている。
【０００３】
ところで、前記マーカー本体ａは、図８に示すように、歩行路面ｂに穿設した取付け孔ｃに、マーカー本体ａの下底面から下方突成された連結杆ｄを挿入して接着剤ｅを介して固定されるが、前記取付け孔ｃの穿設に際しては、図９に示すように、複数の円形孔からなるマーキング用透孔ｆが形成された取付け孔マーキングプレートｇを、予め歩行路面ｂに描いたプレートｇの形状に一致する墨出し線ｈに合せて歩行路面ｂ上に載置した状態で、各マーキング用透孔ｆに上方から塗料をスプレーすることにより、歩行路面ｂにマーキングｉを表示するようにしている。
【０００４】
ここで、前記マーキング用透孔ｆは、複数のマーカー本体ａの所定の配列状態において、各マーカー本体ａの連結杆ｄと一致する位置関係で配列されており、上記のように、各マーキング用透孔ｆに塗料をスプレーすることにより、歩行路面ｂに表示されるマーキングｉが取付け孔ｃの穿設位置を示すこととなる。そして、このマーキングｉの表示作業終了後、取付け孔マーキングプレートｇを除去して、前記各マーキングｉで示される穿設位置をドリルで穿孔することにより、各取付け孔ｃを形成するようにしている。
【０００５】
【発明が解決しようとする課題】
上記のような従来の取付け孔マーキングプレートｇにあっては、マーキング用透孔ｆがドリル刃の径より若干大きい円形孔であるため、歩行路面ｂに表示されるマーキングｉもドリル刃の径より若干大きい円形となる。ところが、この円形のマーキングｉにドリル刃を合せて穿孔しようとすると、穿孔当初はドリル刃が滑って、マーキングｉ上をずれ動くため、該マーキングｉが削り取られて殆ど消えてしまう場合があり、こうなると穿設位置が分からず、感に頼って穿孔する以外に方法がないため、取付け孔ｃが適正位置からずれてしまうという問題点がある。そして、このように取付け孔ｃがずれると、複数のマーカー本体ａを整然と配列させられないばかりか、三個の取付け孔ｃを直線上に列設する必要がある三本の連結杆ｄを備えた長円形のマーカー本体ａにあっては、その取付け自体ができないこととなる。
【０００６】
また、従来の取付け孔マーキングプレートｇは、矩形状の薄い平板のみからなるため、取扱い性が悪く、墨出し線ｈとの位置合せや、次のマーキング箇所への移動が容易に行えないという問題点があった。
【０００７】
本発明は、かかる問題点を解消し得る視覚障害者誘導用マーカーの取付け孔マーキングプレートを提供することを目的とするものである。
【０００８】
【課題を解決するための手段】
本発明は、下底面に下方突成された連結杆を、歩行路面に穿設した取付け孔に挿入して固定することにより、所定の配列状態で設置される視覚障害者誘導用マーカーの、その取付け孔の穿設位置をマーキングするための複数のマーキング用透孔を備えてなる視覚障害者誘導用マーカーの取付け孔マーキングプレートにおいて、前記マーキング用透孔が、取付け孔の穿設位置で交差してその交点で穿設位置を示す二本以上の仮想線上に形成した長孔からなることを特徴とする視覚障害者誘導用マーカーの取付け孔マーキングプレートである。
【０００９】
ここで、上記二本以上の仮想線上に形成される長孔は、取付け孔の穿設位置で実際に交差していてもよく、また、交差させないで全体で穿設位置を示すものであってもよい。
【００１０】
かかる構成にあって、マーキング用透孔の上方から塗料をスプレーして、歩行路面にマーキングを表示した状態で、ドリルを用いて取付け孔を穿孔する場合において、穿孔当初にドリル刃が滑って、マーキング上をずれ動き、中心部分のマーキングを消してしまっても、該マーキングが、交点で穿設位置を示す二本以上の仮想線上に形成した長孔で構成される孔形状に一致する形状であることにより、マーキングの残った部分で中心の穿孔位置を容易に推測することができる。これにより、ドリル刃を穿孔位置に簡単に合せられるので、取付け孔を正確に穿設することができる。
【００１１】
また、上記構成にあって、プレート形状を矩形状とするとともに、矩形の各一辺の中点を示す位置決め用指標部を、各辺毎に夫々設けるようにしてもよい。この構成にあっては、直交する墨出し線を歩行路面に描き、該墨出し線に、各一辺の中点を示す位置決め用指標部を夫々合せることにより、取付け孔マーキングプレートの正確な位置決めを容易に行うことができる。
【００１２】
さらに、上記構成にあって、取付け孔マーキングプレートの上面に移動調節用把手を突設するようにしてもよい。このように、移動調節用把手を設けることにより、墨出し線との位置合せや、次のマーキング箇所への移動が容易となり、その取扱い性を向上し得るものとなる。
【００１３】
【発明の実施の形態】
本発明の一実施例を、図１〜図６について説明する。
【００１４】
取付け孔マーキングプレート１は、金属板や硬質合成樹脂板等を素材とする比較的薄い矩形状の平板からなり、該取付け孔マーキングプレート１には、表裏面に貫通する複数のマーキング用透孔２が所定位置に形成されている。即ち、該マーキング用透孔２は、視覚障害者誘導用マーカーＭを構成する複数のマーカー本体ａの所定の配列状態（図７参照）において、各マーカー本体ａの連結杆ｄと一致する位置関係で配列されており、各マーキング用透孔２によって、連結杆ｄを固定する取付け孔ｃ（図８参照）の穿設位置をマーキングし得るようになっている。
【００１５】
ここで、図１は、円形のマーカー本体ａを縦横に六個ずつ並べて施工する場合におけるマーキング用透孔２の配列形態を示し、各マーカー本体ａの中心に下方突成された単一の連結杆ｄに対応する位置にマーキング用透孔２が夫々配置されている。図２は、短い長円形のマーカー本体ａを左右に二個直列させ、これを横に四列に並べて施工する場合におけるマーキング用透孔２の配列形態を示し、各マーカー本体ａの両端部に下方突成された二本の連結杆ｄ，ｄに対応する位置にマーキング用透孔２が夫々配置されている。図３は、さらに長い長円形のマーカー本体ａを横に四列に並べて施工する場合におけるマーキング用透孔２の配列形態を示し、各マーカー本体ａの両端部と、中間部とに下方突成された三本の連結杆ｄ，ｄ，ｄに対応する位置にマーキング用透孔２が夫々配置されている。尚、図１〜図３におけるマーカー本体ａの配列は、条例で定められた基準に従ったものとなっている。また、マーキング用透孔２の大きさは、マーカー本体ａより小さく設定されており、該マーキング用透孔２によって表示される後述のマーキング７を、施工後に、マーカー本体ａで覆い隠すことができるようにしている。
【００１６】
前記各マーキング用透孔２は、図４に示すように、取付け孔ｃの穿設位置で交差してその交点で穿設位置を示す二本以上の仮想線３上に形成した長孔４によって構成される。図４イは、直交する二本の仮想線３，３上に長孔４，４を交差させて形成したものであり、マーキング用透孔２が十字形を呈する孔形状となっている。図４ロは、直交する二本の仮想線３，３上において、該仮想線３，３の交点に近接して相互に連通しない長孔４を各仮想線３，３上に二個ずつ形成したものであり、マーキング用透孔２が取付け孔ｃの穿設位置を中心とする放射状の孔形状となっている。図４ハは、等角度で交差する三本の仮想線３，３，３上に、該仮想線３，３，３の交点で連通する長孔４，４，４を形成したものであり、また、図４ニは、等角度で交差する三本の仮想線３，３，３上において、該仮想線３，３，３の交点に近接して相互に連通しない長孔４を各仮想線３，３，３上に夫々形成したものであり、何れもマーキング用透孔２が取付け孔ｃの穿設位置を中心とする放射状の孔形状となっている。
【００１７】
また、矩形状の取付け孔マーキングプレート１には、その外周の各一辺を等分する位置に略Ｖ形の切欠きからなる位置決め用指標部５が夫々形成されており、各位置決め用指標部５によって各辺の中点を示すようにしている。尚、図示した例では、位置決め用指標部５をＶ形の切欠きとしたが、これに代えて、狭幅の切欠き溝としてもよく、さらにプレート１の辺縁の表面に刻設又はペイントで棒線や矢印を表示して、これを位置決め用指標部５としてもよい。
【００１８】
さらに、取付け孔マーキングプレート１の上面には、移動調節用把手６が突設されている。該移動調節用把手６は、取付け孔マーキングプレート１の中央部でその重心位置に配設されている。このように、移動調節用把手６を重心位置に設けることにより、取付け孔マーキングプレート１を片手で水平状に簡単に持ち上げることができるようにしている。
【００１９】
かかる構成にあって、取付け孔マーキングプレート１を用いて歩行路面にマーキングを表示するには、図６に示すように、視覚障害者誘導用マーカーの敷設方向の中心位置を示す墨出し線Ｌ１ と、該墨出し線Ｌ１ に直交してプレート１の横幅の中心位置を示す複数の墨出し線Ｌ２ とを歩行路面に描き、この直交する墨出し線Ｌ１ ，Ｌ２ に各辺の位置決め用指標部５を夫々合せて取付け孔マーキングプレート１を歩行路面に載置する。このように、各辺の中点を示す位置決め用指標部５を墨出し線Ｌ１ ，Ｌ２ に夫々合せることにより、取付け孔マーキングプレート１の正確な位置決めを容易に行うことができる。また、この時、取付け孔マーキングプレート１の上面に移動調節用把手６が突設されていることにより、墨出し線Ｌ１ ，Ｌ２ との位置合せや、次のマーキング箇所への移動を容易に行うことができる。
【００２０】
上記のように、取付け孔マーキングプレート１を位置決めした後、該プレート１に形成されている各マーキング用透孔２の上方から塗料をスプレーすることにより、各マーキング用透孔２の形状及びその配列に一致する複数のマーキング７が歩行路面に表示されることとなる。
【００２１】
そして、このマーキング７の表示作業を繰り返して行い、作業終了後、取付け孔マーキングプレート１を除去して、各マーキング７で示される穿設位置をドリルで穿孔するのであるが、この時、ドリル刃が滑って、マーキング７上をずれ動き、マーキング７の中心部分を削って消失させてしまっても、該マーキング７が、交点で穿設位置を示す二本以上の仮想線３上に形成した長孔４で構成される孔形状に一致する形状であることにより、マーキング７の残った部分で中心の穿孔位置を容易に推測することができる。これにより、ドリル刃を穿孔位置に簡単に合せられるので、取付け孔ｃが正確に穿設され得る。
【００２２】
【発明の効果】
本発明は上述のように、取付け孔マーキングプレート１に所定配列で形成されるマーキング用透孔２を、取付け孔ｃの穿設位置で交差してその交点で穿設位置を示す二本以上の仮想線３上に形成した長孔４によって構成したから、マーキング用透孔２の上方から塗料をスプレーして、歩行路面にマーキング７を表示した状態で、ドリルを用いて取付け孔ｃを穿孔する場合に、ドリル刃が滑って、マーキング７上をずれ動き、マーキング７の中心部分を消失させても、マーキング７の残った部分で中心の穿孔位置を推測し得ることにより、取付け孔ｃを正確な位置に穿設することができる。
【００２３】
また、取付け孔マーキングプレート１を矩形状とし、矩形の各一辺の中点を示す位置決め用指標部５を、各辺毎に夫々設けたから、歩行路面に描いた直交する墨出し線Ｌ１ ，Ｌ２ に各辺の位置決め用指標部５を夫々合せることにより、取付け孔マーキングプレート１の正確な位置決めを容易に行うことができる。
【００２４】
さらに、取付け孔マーキングプレート１の上面に移動調節用把手６を突設したので、墨出し線Ｌ１ ，Ｌ２ との位置合せや、次のマーキング箇所への移動を容易に行うことができ、その取扱い性を向上し得る等の優れた効果がある。
【図面の簡単な説明】
【図１】本発明の一実施例にかかる取付け孔マーキングプレートの平面図である。
【図２】他の配列形態のマーキング用透孔を備えた取付け孔マーキングプレートの平面図である。
【図３】他の配列形態のマーキング用透孔を備えた取付け孔マーキングプレートの平面図である。
【図４】マーキング用透孔の種々の孔形状を示す平面図である。
【図５】取付け孔マーキングプレートの正面図である。
【図６】マーキング表示作業を示す平面図である。
【図７】視覚障害者誘導用マーカーの設置例を示す平面図である。
【図８】マーカー本体の取付け状態を示す縦断面図である。
【図９】従来構成の取付け孔マーキングプレートによるマーキング表示作業を示す斜視図である。
【符号の説明】
１  取付け孔マーキングプレート
２  マーキング用透孔
３  仮想線
４  長孔
５  位置決め用指標部
６  移動調節用把手
Ｍ  視覚障害者誘導用マーカー
ａ  マーカー本体
ｃ  取付け孔
ｄ  連結杆
【図１】
0004213314.tif 000002
【図２】
0004213314.tif 000003
【図３】
0004213314.tif 000004
【図４】
0004213314.tif 000005
【図５】
0004213314.tif 000006
【図６】
0004213314.tif 000007
【図７】
0004213314.tif 000008
【図８】
0004213314.tif 000009
【図９】
0004213314.tif 000010